(57)【要約】      （修正有）【課題】バック布の上下縁を適度な締め付け圧とし、ずれ上がりやずり下がりの位置ずれを防ぎ、身体にフィットして着用感の優れたバック部を有する衣類を提供する。【解決手段】バック部を有する衣類であって、上下縁がヘム加工された及び／または縁始末不要な縁からなる、バック４布の裏面に、上下縁に沿ってテープ片８，９を遊離させ両端部を縫着する。さらに上下片の一端部を重合縫製してフック・アイテープの近傍部をバック布と三重構造にした。【選択図】  図１
2007126791.tif 000002
【特許請求の範囲】
【請求項１】
バック部を有する衣類であって、上下縁がヘム加工されたバック布の裏面に、上下縁に沿ってテープ片を遊離させ両端部を縫着したことを特徴とするバック部を有する衣類。
【請求項２】
バック部を有する衣類であって、上下縁が裁断されたままの縁始末不要な縁からなるバック布の裏面に、上下縁に沿ってテープ片を遊離させ両端部を縫着したことを特徴とするバック部を有する衣類。
【請求項３】
上下テープ片の一端部を重合縫着してフック・アイテープの近傍部をバック布と三重構造にした請求項１または２記載のバック部を有する衣類。
【請求項４】
バック部裏面のカップ部脇側に硬い不織布を表生地に縫着してある請求項１〜３に記載のいずれか１項に記載のバック部を有する衣類。
【発明の詳細な説明】
【技術分野】
【０００１】
本発明は、ブラジャー、ブラキャミソール、ブラスリップおよびセパレートタイプの水着などのバック部を有する衣類に関するものである。
【背景技術】
【０００２】
バック部を有する代表的な衣類であるブラジャーは、一般的に、ブラジャー本体の前中心で連結された左右のカップ部と、そのカップ部の下端部に縫着されている土台布と、カップ部の外側部に縫着され脇部から背中部にかけて延びるバック布と、肩紐から構成されている。
【０００３】
このように構成されたブラジャーは、左右のバック布の端部に縫着されたフック・アイテープに取り付けたフック・アイを係合させ、左右バック布の伸縮性による締め付け作用で脇から後身を密着固定し、カップ部を伸縮性のある肩紐で吊り上げ保持し、土台布でアンダーバストを安定させて装着するものである。
【０００４】
バック布の上下縁にはバック布よりも伸縮性の大きい上辺ゴムテープと下辺ゴムテープを縫着し、その弾性力によってブラジャーのずれ上がりやずり下がりを防止し、胸部にフィットするようになっている。
【０００５】
しかし、このような上下辺ゴムテープは分厚くて突出し、着用した場合にゴムテープ部分に段差が生じて、タイトなアウターウエアーを着用した場合にこの段差が映り、外観が不体裁でファッション性に劣っていた。また、締め付け力が強く肌に喰いこみ圧迫感を与え、ゴムテープの跡形が肌に付き着用者に不快感を与えると言う問題があった。
【０００６】
この問題を解決するため、近年は、バック布の縁部にゴムテープなどを縫着するのではなく、ほつれの生じない折り返しのないフラットな生地、いわゆる端始末を必要としない生地が用いられるようになってきており、そのような生地としては、ヘム加工すなわち伸縮性経編地の所要位置に抜き糸を設けて、抜き糸を抜き取ることによって、ほつれることのない耳部を有するもの（例えば、特許文献１）。
【０００７】
また、ほつれを生じない編組織で経編地を編成し縁部分の処理せず、一部を裁断されたままの縁始末不要な縁からなる編地が用いられるようになってきている（例えば、特許文献２、３）。
【特許文献１】実公昭６３−１１１１９６号公報
【特許文献２】特開２０００−３０３３３１号公報
【特許文献３】特開２００３−１４７６１８号公報
【発明の開示】
【発明が解決しようとする課題】
【０００８】
しかしながら、上記特許文献１〜３の場合は、確かにヘム部が薄くなり肌当りがソフトになるが、段差のない平坦な生地であるから、締め付け感に劣る欠点があり、静止時においては問題なくても、運動時、特に上半身を動かすと、それに伴ってずれ上がったり、ずれ落ちたりして着くずれが生じるなどの問題点があった。
【０００９】
本発明は上記の問題点を解決することを課題として研究開発されたもので、バック布の上下縁を適度な締め付け圧とし、ずれ上がりやずり下がりの位置ずれを防ぎ、身体にフィットして着用感の優れたバック部を有する衣類を提供することを目的とするものである。
【課題を解決するための手段】
【００１０】
上記の課題を解決し、その目的を達成する手段として、本発明では、バック部を有する衣類であって、上下縁がヘム加工されたバック布の裏面に、上下縁に沿ってテープ片を遊離させ両端部を縫着したことを特徴とするバック部を有する衣類を開発し、採用した。
【００１１】
また、本発明は、バック部を有する衣類であって、上下縁が裁断されたままの縁始末不要な縁からなるバック布の裏面に、上下縁に沿ってテープ片を遊離させ両端部を縫着したことを特徴とするバック部を有する衣類を開発し、採用した。
【００１２】
上記のバック部を有する衣類において、上下テープ片の一端部を重合縫着してフック・アイテープの近傍部をバック布と三重構造にしたバック部を有する衣類、およびバック部裏面のカップ部脇側に硬い不織布を表生地に縫着してあるバック部を有する衣類を開発し、採用した。
【発明の効果】
【００１３】
上下縁がヘム加工あるいは裁断されたままの縁始末不要な縁からなるバック布の裏面上下縁に沿ってテープ片を遊離させ両端部を縫着してあるから、バック布の上下縁がかさなって締め付け圧が強くなり、装着時のずれ上がりやずり下がりを防ぎ、身体にフィットして着用感が良くなる。また、薄いアウターウエアーを着用しても、その部分のラインが出ることがなく、外観に支障を来たす事がなく、ファッション性にも優れる。
【００１４】
また、肩紐を繋ぐ連結環が上テープ片で隠されることになり、その連結環が直接肌に当らないので、肌への喰い込みを防ぎ部分的な圧迫痕が生じることがない。さらに、上テープ片と下テープの間は空間部になっているから通気性に優れる。装着時に肩紐と連結されているバック布は上方に引き上げられるが、テープ片は遊離していることから、引っ張りに影響を受けずに正しい位置に装着できる。
【００１５】
また、ブラジャーの着脱に際しては、フック・アイテープの近辺を持ってフック・アイを係合させるが、その時に、その部分が三重構造になっていることから、持ちやすくて指の喰いこみによる損傷を防ぎ補強にもなる。
【発明を実施するための最良の形態】
【００１６】
以下に、本発明の実施の形態をバック部を有する衣類の代表的なブラジャーについて説明するが、本発明はブラジャーのみに限定されるものではなく、図示していないが、ブラキャミソール、ブラスリップなどバック部を有する衣類であれば、いずれにも適用できるものである。
【００１７】
１はブラジャー本体で、両乳房を覆う左右一対のカップ部２，２と、この両カップ部２，２を互いに一体的に縫着する土台布３と、土台布３の左右に縫着して着用者の脇から背中側に延びるバック布４，４と、伸縮性テープからなる肩紐５，５から構成されている。カップ部２，２下側湾曲部に沿ってカップを保形するための芯材６，６が取り付けられており、カップ部２，２の脇側に硬い不織布７，７を縫い付けてあり、カップ部２，２の安定を図っている。
【００１８】
バック布４は、ほつれの生じない折り返しのない生地、いわゆる端始末を必要としない生地が用いられ、ヘム加工されたもの、例えば、広幅の伸縮性経編地の所要位置に抜き糸を設けて抜き糸を除去した際に、抜き糸に絡んでいた弾性糸が収縮し平滑な耳部を形成してほつれを生じないようになっている生地、あるいは上下縁が裁断されたままの縁始末不要な生地、例えば、非弾性糸と弾性糸が同行する１×１トリコット組織で、非弾性糸と弾性糸の両方が開き目の経編地や非弾性糸と弾性糸が逆行する１×１トリコット組織で、非弾性糸と弾性糸の少なくとも一方が閉じ目の縦編地や非弾性糸と弾性糸が逆行する１×１トリコット組織で、非弾性糸と弾性糸の両方が閉じ目である経編地が好ましい。
【００１９】
８，９はバック布４の裏面側の上下縁に沿って縫着されることなく、遊離した細幅の上下テープ片であり、バック布４と同じ程度の伸縮性を有する生地から形成されており、肩紐５の連結環１０が上テープ片８で覆われている。
【００２０】
この上下テープ片８，９の一端部をフック・アイテープ１０，１１側で重合し縫着してバック布４との三重構造になっている。一方、脇側の端部は不織布７，７の上下に間隔をあけて縫い付けてある。
【００２１】
上記のように構成した本発明の実施形態に係る使用状態を作用、効果と共に説明すると、肩紐５，５に腕を通して肩部に掛け、左右バック布４，４の一端部を親指と人差し指とで挟み、背中の中央部に引き寄せてフック・アイに係合させて着用するのは一般のブラジャーと同じであるが、この係合操作時に指の摘む位置が三重になっているから摘みやすく、かつその部分の生地を傷めることがない。
【００２２】
ブラジャーの装着時に、表側のバック布４は上方に引っ張られるが裏側の上下テープ片８，９は遊離していて影響を受けることがなく、バック布４のヘム端縁と下テープ片７の端縁が一致しなく、そのズレによってパワー差が生じて身体にフィットする。身体に装着後は、ズレを直すことにより重なり、上下縁部の締め付け圧パワーが増し、ずれ動きがなく安定すると共に、肩紐の連結環が上テープ片で覆われ、その連結環が直接肌に当らないので肌への喰い込みを防ぐ。
【００２３】
バック布４は、裏側で上下縁が重なって二重になっているが、中央部はバック布４の１枚生地であるから、通気性が非常に良く極めて着け心地が良好になる。
【００２４】
以上、本発明の主要な実施の形態で説明したが、本発明は必ずしも上記実施例に限定されるものでなく、本発明の目的を達成でき、かつ発明の要旨を逸脱しない範囲内で種々設計変更が可能であり、それらも全て本発明の範囲内に包含されるものである。
【産業上の利用可能性】
【００２５】
本発明のバック部を有する衣類としては、ブラジャー、ブラキャミソール、ブラスリップの他セパレート型水着などに有用である。
【図面の簡単な説明】
【００２６】
【図１】本発明の実施の形態を示すブラジャーの背面図である。
【符号の説明】
【００２７】
２    カップ部
４    バック布
７    不織布
８    上テープ片
９    下テープ片
１１  フックテープ
１２  アイテープ
【図１】
2007126791.tif 000003